(57)【要約】【課題】育児器具上に置かれるマットとしての働きをするとともに、乳幼児の身体を包み込むことのできる形態を持つおくるみマットを提供する。【解決手段】おくるみマットは、乳幼児の背中の下に位置する背部マット部１１と、背部マット部１１の両側縁から両側方に突出して延び、乳幼児の腹部を両側から包み込むように折り曲げられる１対の側方張出マット部１２と、背部マット部１１から連続的に連なって下方に延び、乳幼児の尻から股を通って腹部を包み込むように折り曲げられる股当てマット部１３とを備える。【選択図】図１
2008000279.tif 000002
【特許請求の範囲】
【請求項１】
乳幼児の背中の下に位置する背部マット部と、
前記背部マット部の両側縁から両側方に突出して延び、乳幼児の腹部を両側から包み込むように折り曲げられる１対の側方張出マット部と、
前記背部マット部から連続的に連なって下方に延び、乳幼児の尻から股を通って腹部を包み込むように折り曲げられる股当てマット部とを備える、おくるみマット。
【請求項２】
前記１対の側方張出マット部および前記股当てパッド部のうちの少なくともいずれか一方は、内部に物を収容するためのポケットを有する、請求項１に記載のおくるみマット。
【請求項３】
前記ポケットには、母親の香りが染み込んだ柔軟性素材が収容されている、請求項２に記載のおくるみマット。
【請求項４】
重ね合わされた前記１対の側方張出マット部および前記股当てマット部の先端部分を連結して乳幼児を包み込む形態を保持するための接続手段をさらに備える、請求項１〜３のいずれかに記載のおくるみマット。
【請求項５】
前記おくるみマットは、乳幼児の頭部の下に位置する頭部マット部を備える、請求項１〜４のいずれかに記載のおくるみマット。
【請求項６】
前記頭部マット部の背面に、使用者の手を受入れるための手受入部が設けられている、請求項５に記載のおくるみマット。
【請求項７】
股ベルトおよび１対の腰ベルトを取付けた座席と、
前記座席上に置かれるおくるみマットとを備え、
前記おくるみマットは、乳幼児の背中の下に位置する背部マット部と、前記背部マット部の両側縁から両側方に突出して延び、乳幼児の腹部を両側から包み込むように折り曲げられる１対の側方張出マット部と、前記背部マット部から連続的に連なって下方に延び、乳幼児の尻から股を通って腹部を包み込むように折り曲げられる股当てマット部とを含み、
前記股当てマット部は、前記股ベルトの下に位置し、
前記１対の側方張出マット部は、前記１対の腰ベルトの下に位置する、座席付き育児器具。
【発明の詳細な説明】
【技術分野】
【０００１】
この発明は、乳母車、自動車用子供座席等の座席付き育児器具や、子供用ベッド等において、乳幼児の下に敷かれるマットに関し、特に乳幼児を包み込むような形態にすることのできるおくるみマットに関するものである。
【背景技術】
【０００２】
図９は、乳母車の座席上に子供が着座している状態を図解的に示している。座席１上に着座した子供の身体を拘束するために、座席１には、股ベルト２と、１対の腰ベルト３とが取付けられている。股ベルト２と各腰ベルト３とは、バックル等の連結手段を介して連結される。図示した形態では、股ベルト２の先端に受入具４が取付けられ、１対の腰ベルト３の先端に、受入具４に係合する差込具５が取付けられている。
【０００３】
股ベルト２、腰ベルト３およびバックル部材４，５が直接子供の身体に接触しないようにするために、それらの部材の下にパッドを設けることが一般的に行なわれている。例えば、特開２００３−０４０００５号公報には、腰ベルトの下に側部パッドを取付け、股ベルトの下に股部パッドを取付けた育児器具が開示されている。
【０００４】
また、一般的に、育児器具の座席上にマットやクッション材を置くことによって、子供に柔らかな感触を与えることが行なわれている。例えば、特開２００２−２１１２８６号公報には、座席上に補助クッションを取付けたチャイルドシートが開示されている。
【特許文献１】特開２００３−０４０００５号公報
【特許文献２】特開２００２−２１１２８６号公報
【発明の開示】
【発明が解決しようとする課題】
【０００５】
この発明の目的は、育児器具上に置かれるマットとしての働きをするとともに、乳幼児の身体を優しく包み込むことのできる形態を持つおくるみマットを提供することである。
【０００６】
この発明の他の目的は、育児器具上に置かれるマットとしての働きをするとともに、腰ベルトおよび股ベルトの下に位置する緩衝パッドとしての働きもすることのできるおくるみマットを提供することである。
【０００７】
この発明のさらに他の目的は、上記のおくるみマットを備えた座席付き育児器具を提供することである。
【課題を解決するための手段】
【０００８】
この発明に従ったおくるみマットは、乳幼児の背中の下に位置する背部マット部と、背部マット部の両側縁から両側方に突出して延び、乳幼児の腹部を両側から包み込むように折り曲げられる１対の側方張出マット部と、背部マット部から連続的に連なって下方に延び、乳幼児の尻から股を通って腹部を包み込むように折り曲げられる股当てマット部とを備える。
【０００９】
上記構成のおくるみマットは、育児器具上に置かれるマットとしての働きをするとともに、１対の側方張出マット部および股当てマット部を折り曲げることにより、乳幼児の身体を包み込む形態を実現できる。また、おくるみマットによって乳幼児を包み込む形態を維持しながら、育児器具上の乳幼児を育児器具から離して抱き上げることができる。
【００１０】
座席上に長方形の大きなタオル等を置き、そのタオル等によって乳幼児を包み込むようにすることも可能であるが、その場合には、乳幼児の脚部も包み込んでしまうことになるので、乳幼児に対して窮屈感を与える。それに対して、上記構成の本発明によれば、乳幼児の脚部は露出したままであるので、乳幼児は脚部を楽に動かすことができる。
【００１１】
好ましい実施形態では、１対の側方張出マット部および股当てマット部のうちの少なくともいずれか一方は、内部に物を収容するためのポケットを有する。ポケットには、例えば、母親の香りが染み込んだ柔軟性素材が収容される。母親の香りが染み込んだ柔軟性素材の例として、母親のハンカチ、授乳パッド等を挙げることができる。このような構成であれば、乳幼児を母親の香りのする側方張出マット部または股当てマット部によって包み込むので、乳幼児は、母親に抱かれているような安らかな気持ちを持つことができる。
【００１２】
好ましい実施形態では、おくるみマットは、重ね合わされた１対の側方張出マット部および股当てマット部の先端部分を連結して乳幼児を包み込む形態を保持するための接続手段をさらに備える。
【００１３】
おくるみマットは、乳幼児の頭部の下に位置する頭部マット部を備えるものであってもよい。その場合、好ましくは、頭部マット部の背面に、使用者の手を受入れるための手受入部を設ける。このような構成であれば、おくるみマットで乳幼児を包み込んで抱き上げる際、乳幼児の頭部を安定して支えることができる。
【００１４】
この発明に従った座席付き育児器具は、股ベルトおよび１対の腰ベルトを取付けた座席と、座席上に置かれるおくるみマットとを備える。おくるみマットは、乳幼児の背中の下に位置する背部マット部と、背部マット部の両側縁から両側方に突出して延び、乳幼児の腹部を両側から包み込むように折り曲げられる１対の側方張出マット部と、背部マット部から連続的に連なって下方に延び、乳幼児の尻から股を通って腹部を包み込むように折り曲げられる股当てマット部とを含む。股当てマット部は、股ベルトの下に位置し、１対の側方張出マット部は、１対の腰ベルトの下に位置する。
【００１５】
上記構成の育児器具によれば、座席上に置かれるおくるみマットが、腰ベルトおよび股ベルトの下に位置する緩衝パッドとしての働きもする。
【発明を実施するための最良の形態】
【００１６】
図１〜図３は、この発明の一実施形態に係るおくるみマットを示している。おくるみマット１０は、乳母車、自動車用子供座席、室内用子供椅子等の座席付き育児器具や、ベッド等において、乳幼児の下に敷かれるものである。乳幼児に柔らかな感触を与えるために、おくるみマット１０の内部にクッション材を入れるようにしてもよい。
【００１７】
おくるみマット１０は、展開状態において、十字状の形態を呈する。具体的には、おくるみマット１０は、乳幼児の背中の下に位置する背部マット部１１と、背部マット部１１の両側縁から両側方に突出して延び、乳幼児の腹部を両側から包み込むように折り曲げられる１対の側方張出マット部１２と、背部マット部１１から連続的に連なって下方に延び、乳幼児の尻から股を通って腹部を包み込むように折り曲げられる股当てマット部１３と、乳幼児の頭部の下に位置する頭部マット部１４とを備える。図２は、１対の側方張出マット部１２と股当てパッド部１３とを折り曲げた状態を示している。
【００１８】
頭部マット部１４は、必須の構成要素ではなく、省略することも可能である。図示した実施形態は、枕として機能する頭部マット部１４を備える。枕の形態の頭部マット部１４は、特開２００５−８１０３９号公報に開示された構成を備える。すなわち、頭部マット部１４は、第１の高さを有し、乳幼児の後頭部の両側部を下から支える逆Ｕ字状の頭部位置決め部１５と、第１の高さよりも低い第２の高さを有し、頭部位置決め部１５によって位置決めされた乳幼児の首を下から支える頚椎支え部１６とを備え、頭部位置決め部１５と頚椎支え部１６とで囲まれた凹部１７を形成し、そこに乳幼児の後頭部が位置する。凹部１７には、通気孔１８が設けられている。
【００１９】
図５は、乳母車の座席上でおくるみマット１０を使用している状態を示している。乳母車の座席３０には、股ベルト３１と１対の腰ベルト３２とが取付けられている。股ベルト３１と各腰ベルト３２とは、受入具３３および差込具３４等の連結手段を介して連結される。
【００２０】
乳幼児の下に敷かれるおくるみマット１０の股当てマット部１３が乳幼児の尻から股を通って腹部を包み込むように折り曲げられ、さらに股当てマット部１３の上に重なるように１対の側方張出マット部１２が乳幼児の腹部を両側から包み込むように折り曲げられる。股当てマット部１３は、股ベルト３１の下に位置し、１対の側方張出マット部１２は、１対の腰ベルト３２の下に位置する。したがって、股ベルト３１、腰ベルト３２およびバックル部材３３，３４が直接乳幼児の身体に接触するのを防止できる。
【００２１】
乳幼児の手足は露出した状態のままであるので、乳幼児は、手足を自由に動かすことができる。
【００２２】
乳幼児を乳母車の座席３０から離して抱き上げるときには、股ベルト３１と腰ベルト３２との連結を解き、乳幼児をおくるみマット１０で包み込んだままで抱き上げる。
【００２３】
図４は、この発明の他の実施形態に係るおくるみマットを示している。図１〜図３に示した実施形態と同一の番号を付した部分は、同一または相当の要素を示すものであるので、それらの具体的な説明を省略する。図４に示した実施形態の特徴は、１対の側方張出マット部１２および股当てパッド部１３のうちの少なくともいずれか一方が、内部に物を収容するためのポケットを有する点にある。
【００２４】
具体的に説明すると、１対の側方張出マット部１２の先端部分の内面にスリット２０が設けられ、このスリット２０に連なって内部にポケット２１が設けられている。さらに、股当てマット部１３の先端部分の内面にもスリット２２が設けられ、このスリット２２に連なって内部にポケット２３が設けられている。
【００２５】
ポケット２１、２３内には、母親の香りが染み込んだ柔軟性素材が収容されている。柔軟性素材の好ましい例として、母親の香りが染み込んだハンカチ、授乳パッド等を挙げることができる。乳幼児を母親の香りのするおくるみマット１０で包み込むことにより、乳幼児は、母親に抱かれているような安らかな気持ちを持つことができる。
【００２６】
図６〜図８は、この発明のさらに他の実施形態に係るおくるみマット４０を示している。おくるみマット４０は、例えば子供用ベッドの上に置かれて使用されるものであり、先の実施形態と同様に、背部マット部４１と、１対の側方張出マット部４２と、股当てマット部４３と、頭部マット部４４とを備える。この実施形態の特徴は、図８に示すように、頭部マット部４４の背面に、母親等の使用者の手を受入れるための手受入部４６が設けられている点にある。手受入部４６は、図示した実施形態では、手を差し込むことができるようにした帯である。手受入部４６の形態としては、帯以外の形状のものを採用できることは言うまでも無い。
【００２７】
上記のような手受入部４６を備えることにより、母親は、乳幼児をおくるみマット４０に包んで抱き上げるとき、手を手受入部４６に差し入れて乳幼児の頭部を安定して支えることができるようになる。
【００２８】
また、図６に示すように、股当てマット部４３の先端部分の外面には２本の紐４５が取付けられており、１対の側方張出マット部４２の先端部分には、紐４５を通すための通し穴４７が設けられている。
【００２９】
図７に示すように、股当てパッド部４３および１対の側方張出マット部４２を折り曲げて乳幼児を包み込む形態にした状態で、２本の紐４５を側方張出マット部４２の通し穴４７に通して結び目を作れば、包み込む形態を安定して維持できる。したがって、乳幼児をおくるみマット４０で包み込んで抱く場合にも、包み込み形態が崩れない。
【００３０】
なお、図６〜図８に示した実施形態では、重ね合わされた１対の側方張出マット部４２および股当てマット部４３の先端部分を連結して乳幼児を包み込む形態を保持するための接続手段として、紐および通し穴を採用したが、面ファスナ等の他の接続部材を採用することも可能である。
【００３１】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３２】
この発明は、座席付き育児器具やベッド等の上に置かれるマットとして、有利に利用され得る。
【図面の簡単な説明】
【００３３】
【図１】この発明の一実施形態に係るおくるみマットを示す平面図である。
【図２】図１に示したおくるみマットの使用状態の形態を示す図である。
【図３】枕の形態の頭部マット部を示す平面図である。
【図４】この発明の他の実施形態に係るおくるみマットを示す平面図である。
【図５】乳母車の座席上でおくるみマットを使用している状態を示す図である。
【図６】この発明のさらに他の実施形態に係るおくるみマットを示す平面図である。
【図７】図６に示したおくるみマットの使用状態の形態を示す図である。
【図８】使用状態の形態のおくるみマットを背面側から見た図である。
【図９】乳母車の座席上の乳幼児を股ベルトおよび腰ベルトによって拘束している状態を示す図である。
【符号の説明】
【００３４】
１  座席、２  股ベルト、３  腰ベルト、４  受入具、５  差込具、１０  おくるみマット、１１  背部マット部、１２  側方張出マット部、１３  股当てマット部、１４  頭部マット部、１５  頭部位置決め部、１６  頚椎支え部、１７  凹部、１８  通気孔、２０  スリット、２１  ポケット、２２  スリット、２３  ポケット、３０  座席、３１  股ベルト、３２  腰ベルト、３３  受入具、３４  差込具、４０  おくるみマット、４１背部マット部、４２  側方張出マット部、４３  股当てマット部、４４  頭部マット部、４５  紐、４６  手受入帯、４７  通し穴。
【図１】
2008000279.tif 000003
【図２】
2008000279.tif 000004
【図３】
2008000279.tif 000005
【図４】
2008000279.tif 000006
【図５】
2008000279.tif 000007
【図６】
2008000279.tif 000008
【図７】
2008000279.tif 000009
【図８】
2008000279.tif 000010
【図９】
2008000279.tif 000011